(57)【要約】【課題】電線の挿入が容易である端子台を提供する。【解決手段】端子台１は、筐体１ａと、筐体１ａの内部に設けられ電線８が挿入される挿入口６１ａを有する中空状の挿入基部６１、及び、挿入基部６１における挿入口６１ａとは反対側に設けられ筐体１ａに対し回転する軸である回転軸部６２を有する電線挿入口部６と、筐体１ａに設けられ、回転軸部６２を回動自在に保持する回転受け部２１と、筐体１ａに設けられ、電線挿入口部６が回転したときに、挿入口６１ａに挿入される電線８が接触する導電接触部片５と、を備える。【選択図】図４
2016018749.tif 000002
【特許請求の範囲】
【請求項１】
筐体と、
前記筐体の内部に設けられ電線が挿入される挿入口を有する中空状の挿入基部、及び、前記挿入基部における前記挿入口とは反対側に設けられ前記筐体に対し回転する軸である回転軸部を有する電線挿入口部と、
前記筐体に設けられ、前記回転軸部を回動自在に保持する回転受け部と、
前記筐体に設けられ、前記電線挿入口部が回転したときに、前記挿入口に挿入される電線が接触する導電接触部片と、
を備える端子台。
【請求項２】
前記導電接触部片は、
前記筐体において、前記電線挿入口部が回転したときに、前記挿入口に挿入される電線の先端がくる位置に設けられている
請求項１記載の端子台。
【請求項３】
前記導電接触部片は、弾性を有し、
前記挿入口から挿入された電線を前記電線挿入口部の側に付勢して固定するものである
請求項１又は２記載の端子台。
【請求項４】
前記電線挿入口部は、
前記筐体の上方から側方にかけて回転し、
前記筐体の上方に位置するときに、前記挿入口に電線が挿入され、
前記筐体の側方に位置するときに、前記挿入口に挿入される電線が前記導電接触部片に接触する
請求項１〜３のいずれか１項に記載の端子台。
【請求項５】
前記筐体は、
前記回転受け部を覆い、前記電線挿入口部が回動する回動溝が形成されたカバー部を備える
請求項１〜４のいずれか１項に記載の端子台。
【発明の詳細な説明】
【技術分野】
【０００１】
本発明は、電線を保持する端子台に関する。
【背景技術】
【０００２】
従来より、電線を保持する端子台として、端子台のカバー部に設けられた挿入口に電線が差し込まれることによって、端子台に接続されている端子部に電線が接触するように構成された端子台が知られている。特許文献１には、電線が、本体ケース（カバー部）に設けられた電線挿入孔に直線的に挿入されることによって、鎖錠端子を介して端子台に接続されたインバータに電力が供給されてランプが点灯する端子台が開示されている。
【先行技術文献】
【特許文献】
【０００３】
【特許文献１】特開平６−３３３６１５号公報（図１）
【発明の概要】
【発明が解決しようとする課題】
【０００４】
しかしながら、特許文献１に開示された端子台は、電線挿入孔の一つが端子台の側面に設けられており、この電線挿入孔に電線が挿入される場合、電線は、端子台が取り付けられる躯体に対し平行に差し込まれる。このとき、端子台の電線挿入孔と躯体との間の距離が近いため、電線挿入施工時において、電線が挿入され難い。
【０００５】
本発明は、上記のような課題を背景としてなされたもので、電線の挿入が容易である端子台を提供するものである。
【課題を解決するための手段】
【０００６】
本発明に係る端子台は、筐体と、筐体の内部に設けられ電線が挿入される挿入口を有する中空状の挿入基部、及び、挿入基部における挿入口とは反対側に設けられ筐体に対し回転する軸である回転軸部を有する電線挿入口部と、筐体に設けられ、回転軸部を回動自在に保持する回転受け部と、筐体に設けられ、電線挿入口部が回転したときに、挿入口に挿入される電線が接触する導電接触部片と、を備える。
【発明の効果】
【０００７】
本発明によれば、電線挿入口部が回転したときに、挿入口に挿入される電線が導電接触部片に接触するため、電線の挿入が容易である。
【図面の簡単な説明】
【０００８】
【図１】本発明の実施の形態１に係る端子台１を示す斜視図である。
【図２】本発明の実施の形態１に係る端子台１を示す上面図である。
【図３】本発明の実施の形態１におけるカバー部７を外した状態の端子台１を示す上面図である。
【図４】本発明の実施の形態１に係る端子台１を示す分解斜視図である。
【図５】本発明の実施の形態１における基台２を示す斜視図である。
【図６】本発明の実施の形態１におけるアース端子３を示す斜視図である。
【図７】本発明の実施の形態１における器具用端子４を示す斜視図である。
【図８】本発明の実施の形態１における導電接触部片５を示す斜視図である。
【図９】本発明の実施の形態１における電線挿入口部６を示す斜視図である。
【図１０】本発明の実施の形態１における電線挿入口部６を示す正面断面図である。
【図１１】本発明の実施の形態１における電線挿入口部６の動作を示す斜視図である。
【図１２】本発明の実施の形態１に係る端子台１の作用を示す側面図である。
【図１３】本発明の実施の形態１に係る端子台１の作用を示す側面図である。
【図１４】本発明の実施の形態１に係る端子台１の作用を示す側面図である。
【図１５】本発明の実施の形態１に係る端子台１の作用を示す正面図である。
【図１６】本発明の実施の形態１に係る端子台１の作用を示す正面図である。
【図１７】本発明の実施の形態１に係る端子台１の作用を示す正面図である。
【図１８】本発明の実施の形態１に係る端子台１の作用を示す上面図である。
【図１９】本発明の実施の形態１に係る端子台１の作用を示す上面図である。
【図２０】本発明の実施の形態１に係る端子台１の作用を示す上面図である。
【図２１】本発明の実施の形態１における導電接触部片５の作用を示す上面図である。
【図２２】本発明の実施の形態１における導電接触部片５の作用を示す上面図である。
【発明を実施するための形態】
【０００９】
以下、本発明に係る端子台の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、実施の形態１に係る端子台１を示す斜視図、図２は、本発明の実施の形態１に係る端子台１を示す上面図である。この図１、図２に基づいて、端子台１について説明する。端子台１は、電線挿入口部６の挿入口６１ａに差し込まれた電源用の電線８が、端子台１に接続されているインバータ（図示せず）等に電気的に接続されるように構成されている。そして、電線８がインバータ等に電気的に接続されることにより、インバータ等が導通して、照明器具（図示せず）等が駆動される。そして、端子台１は、図１、図２に示すように、外殻を構成する筐体１ａが、基台２と、基台２の上部に設置されたカバー部７とを備えている。
【００１１】
図３は、本発明の実施の形態１におけるカバー部７を外した状態の端子台１を示す上面図である。図３に示すように、基台２には、アース線（図示せず）に接続されるアース端子３と、照明器具に接続される器具用端子４と、器具用端子４に電気的に接続される導電接触部片５と、電線８が挿入される挿入口６１ａを有する電線挿入口部６とが載置されている。アース端子３は、基台２の一側端の側に載置されており、器具用端子４は、基台２の後端の側に２個載置されている。そして、導電接触部片５は、基台２において、器具用端子４よりも前方に２個載置されており、電線挿入口部６は、導電接触部片５よりも更に前方であり、基台２の前端の側に２個載置されている。
【００１２】
図４は、本発明の実施の形態１に係る端子台１を示す分解斜視図である。図４に示すように、端子台１は、カバー部７に、アース端子３、２個の器具用端子４及び２個の導電接触部片５が設けられ、アース端子３、２個の器具用端子４、２個の導電接触部片５及び２個の電線挿入口部６が、基台２に支持される。
【００１３】
（基台２）
図５は、本発明の実施の形態１における基台２を示す斜視図である。図５に示すように、基台２は、例えば矩形状の平板であり、１か所の角部が切り欠かれている。基台２には、上方（矢印Ｚ方向）に延びる回転受け部２１が設けられている。この回転受け部２１は、４個の柱状部材２１ａを備えており、柱状部材２１ａは、隣り合った２個で１組である。そして、回転受け部２１は、隣り合った２個の柱状部材２１ａに１個の電線挿入口部６が取り付けられて、電線挿入口部６を回動自在に保持するものである。また、基台２には、アース端子３が載置される載置部２２が設けられている。
【００１４】
（アース端子３）
図６は、本発明の実施の形態１におけるアース端子３を示す斜視図である。アース端子３は、アース線に接続されるものであり、弾性を有している。アース端子３は、図６に示すように、一方向（矢印Ｙ方向）に延びる板状の導電性部材の一端が、湾曲して弾性を有するアース湾曲部３１となっている。このアース湾曲部３１にアース線が接触される。また、アース端子３の他端には、アース孔３２が設けられており、例えばこのアース孔３２にネジが挿入されて、そのネジ頭がカバー部７から露出して大地接地するための端子として使用される。
【００１５】
（器具用端子４）
図７は、本発明の実施の形態１における器具用端子４を示す斜視図である。器具用端子４は、照明器具に接続されるものであり、弾性を有している。器具用端子４は、図７に示すように、一方向（矢印Ｚ方向）に延びる板状の導電性部材の一端が、湾曲して弾性を有する器具用湾曲部４１となっている。この器具用湾曲部４１に、導電接触部片５が接触される。また、器具用端子４の他端は、屈曲し且つ中央部が切り欠かれた屈曲部４２となっている。この屈曲部４２に、照明器具の内部から延びる配線（図示せず）が接触され、器具用端子４が通電されると、照明器具に通電される。なお、端子台１は、器具用端子４を２個備えており、２個の器具用端子４は互いに対向するように配置されている。
【００１６】
（導電接触部片５）
図８は、本発明の実施の形態１における導電接触部片５を示す斜視図である。導電接触部片５は、器具用端子４に接続されるものであり、図８に示すように、一方向（矢印Ｙ方向）に延びる板状の導電性部材であり、弾性を有している。導電接触部片５は、筐体１ａにおいて、電線挿入口部６が回転したときに、挿入口６１ａに挿入される電線８の先端がくる位置に設けられている。そして、この導電接触部片５は、接触基部５１と、接触基部５１の一端に設けられた電線接触部５２と、接触基部５１の他端に設けられた端子接触部５３とを備えている。
【００１７】
接触基部５１は、カバー部７に固定されている。電線接触部５２は、接触基部５１の一端が折り曲げられたものであり、この電線接触部５２に電線８が接触される。また、端子接触部５３は、接触基部５１の他端が折り曲げられたものであり、器具用端子４における器具用湾曲部４１に接触する。電線接触部５２に電線８が接触して通電されると、接触基部５１及び端子接触部５３を介して、端子接触部５３に接触する器具用湾曲部４１が通電される。なお、端子台１は、導電接触部片５を２個備えており、２個の導電接触部片５は互いに対向するように配置されている。
【００１８】
（電線挿入口部６）
図９は、本発明の実施の形態１における電線挿入口部６を示す斜視図である。図９に示すように、電線挿入口部６は、電線８を挿入する中空部６３を有する中空状をなしており、例えば樹脂からなる。そして、電線挿入口部６は、筐体１ａの内部に設けられ電線８が挿入される挿入口６１ａが設けられた中空状の挿入基部６１と、挿入基部６１の一端、即ち挿入口６１ａとは反対側に設けられ、筐体１ａに対し回転する軸である回転軸部６２とを備えている。挿入基部６１は、一方向（矢印Ｚ方向）に延びる断面矩形の角筒状の部材であり、中空部６３は、挿入基部６１の長手方向（矢印Ｚ方向）に平行の方向に貫通している。そして、電線８は、挿入基部６１の他端から、挿入口６１ａに挿入され、電線８の先端は、挿入基部６１の一端から露出される。
【００１９】
また、回転軸部６２は、挿入基部６１の一端における対面する２辺に夫々設けられた円板状の部材である。即ち、回転軸部６２は、挿入口６１ａに挿入される電線８の先端の側に設けられている。この回転軸部６２は、回転受け部２１の上部に載置され、回転受け部２１に回動自在に保持される。なお、端子台１は、電線挿入口部６を２個備えており、２個の電線挿入口部６は隣接して配置されている。
【００２０】
図１０は、本発明の実施の形態１における電線挿入口部６を示す正面断面図であり、図９におけるＡ−Ａ断面図である。電線挿入口部６の中空部６３は、図１０に示すように、電線挿入口部６の他端の側に設けられた第１の中空部６３ａと、第１の中空部６３ａに隣接し第１の中空部６３ａよりも細径の第２の中空部６３ｂとからなる。先端の皮が剥かれた電線８が、挿入口６１ａに挿入された場合、電線８における皮に被覆された被覆部８１は太いため、第１の中空部６３ａまで挿入された状態で留まる。一方、電線８における先端の皮が剥かれた露出部８２は細いため、第１の中空部６３ａで留まらず、第１の中空部６３ａよりも細径の第２の中空部６３ｂに挿入される。
【００２１】
（カバー部７）
次に、カバー部７について説明する。カバー部７は、図１、図２に示すように、基台２の上部に設置され、ドーム状をなしており、基台２の回転受け部２１を覆い、アース端子３、器具用端子４及び導電接触部片５が設けられている。カバー部７には、カバー部７が基台２に設置されたときにアース端子３のアース湾曲部３１の上方に位置する部分に、２個のアース挿入口７１が設けられている。このアース挿入口７１にアース線が挿入されて、アース線はアース湾曲部３１に接触する。
【００２２】
また、カバー部７には、カバー部７が基台２に設置されたときにアース端子３のアース孔３２の上方に位置する部分に、ネジ孔７２が設けられている。アース孔３２にネジが挿入されたとき、ネジ頭がこのネジ孔７２から露出して大地接地するための端子（図示せず）として使用される。カバー部７には、カバー部７が基台２に設置されたときに器具用端子４の上方に位置する部分に、４個の器具配線挿入口７３が設けられている。この器具配線挿入口７３に、照明器具の内部から延びる配線が挿入されて、器具用端子４の屈曲部４２に接触する。
【００２３】
図１１は、本発明の実施の形態１における電線挿入口部６の動作を示す斜視図である。カバー部７には、カバー部７の上部から側部にかけて円弧状の２個の回動溝７４が空けられており、２個の電線挿入口部６は、図１１に示すように、これらの２個の回動溝７４に沿って回動する。
【００２４】
次に、本実施の形態１に係る端子台１の作用について説明する。図１２〜図１４は、本発明の実施の形態１に係る端子台１の作用を示す側面図、図１５〜図１７は、本発明の実施の形態１に係る端子台１の作用を示す正面図、図１８〜図２０は、本発明の実施の形態１に係る端子台１の作用を示す上面図である。図１２、図１５、図１８に示すように、電線挿入口部６は、通常、基台２の上方（矢印Ｚ方向）を向いている。そして、この状態において、図１３、図１６、図１９に示すように、電線挿入口部６の挿入口６１ａから電線８が挿入される。このとき、電線８の露出部８２は、電線挿入口部６の回転軸部６２から突出している。
【００２５】
その後、電線挿入口部６は、図１４、図１７、図２０に示すように、基台２の上方から側方にかけて、カバー部７の回動溝７４に沿って回転する。このとき、回転軸部６２から突出した電線８が、導電接触部片５の電線接触部５２に接触する。このように、電線挿入口部６は、基台２の上方（矢印Ｚ方向）に位置するときに、挿入口６１ａに電線８が挿入され、基台２の側方（矢印Ｙ方向）に位置するときに、挿入口６１ａに挿入される電線８が導電接触部片５に接触する。これにより、電線８と導電接触部片５とが導通し、導電接触部片５と接触する器具用端子４を介して、器具用端子４に配線によって接続された照明器具が導通する。
【００２６】
図２１は、本発明の実施の形態１における導電接触部片５の作用を示す上面図、図２２は、本発明の実施の形態１における導電接触部片５の作用を示す上面図であり、図２１の拡大図である。図２１、図２２に示すように、電線挿入口部６の挿入口６１ａに挿入された電線８の先端は、導電接触部片５の電線接触部５２に当たり、電線接触部５２を端子接触部５３の側に押圧する。導電接触部片５は、弾性体であるため、電線８は、電線接触部５２にて電線挿入口部６の側に付勢されて固定される。
【００２７】
次に、電線８の抜去について説明する。先ず、電線挿入口部６が、基台２の側方から基台２の上方に回転し、基台２の上方の位置に復帰する。電線挿入口部６が基台２の側方から回転する際、電線挿入口部６の挿入口６１ａに挿入された電線８は、導電接触部片５から離れる。このため、電線挿入口部６が基台２の上方に位置したときに、電線８が引き抜かれる。このように、電線８は、電線挿入口部６を、電線８が挿入される状態に戻すだけで、引き抜かれることができる。
【００２８】
以上説明したように、挿入口６１ａに挿入される電線８は、電線挿入口部６が回転したときに、導電接触部片５に接触するため、電線８の挿入時において、端子台１が設置される建物の躯体等に邪魔されない。このため、電線挿入施工時において、電線８の挿入が容易である。また、本実施の形態１は、電線８に余裕をもたせることができるため、電線８は、端子台１に適切に挿入される。このため、電気的な接続が適切に行われる。これに対し、従来は、端子台の構造によって、端子台に電線が挿入されても、電線に余裕をもたせることができず、電線が端子台に充分に差し込まれない虞がある。
【００２９】
更に、電線８として、Ｆケーブル等が使用される場合、Ｆケーブル等は硬いため、電線８の曲げ寸法が大きくなる。本実施の形態１は、挿入口６１ａに挿入される電線８が、電線挿入口部６が回転したときに、導電接触部片５に接触するため、電線８の挿入力に依存せずに、導電接触部片５に接触する。このように、電線８は、挿入力に依存せずに、導電接触部片５に接触するため、電線８の曲がりは僅かである。このため、曲げ寸法が大きい硬い電線８が使用されても、端子台１の内部において、電線８が占める空間は小さく、端子台１自体を小型化することができる。これに対し、従来は、電線と鎖錠端子とが、電線の挿入力が強いほど、確実に接続されるが、電線の挿入力が大きいほど、電線は曲がる。このとき、端子台の内部において、電線が曲がった分だけ、電線が占める空間が大きくなり、端子台自体が大型化してしまう。
【００３０】
更に、電線８は、導電接触部片５の電線接触部５２にて電線挿入口部６の側に付勢されて固定される。このため、電線８と導電接触部片５との接続が適切に行われる。従って、電線８と導電接触部片５とが適切に導通し、導電接触部片５と接触する器具用端子４を介して、器具用端子４に配線によって接続された照明器具が適切に通電される。
【００３１】
なお、電線挿入口部６における回転軸部６２は、回転受け部２１に嵌合することによって回動自在に保持されてもよく、回転受け部２１にビス及びナット等によって回動自在に保持されてもよい。また、器具用端子４又は導電接触部片５は、カバー部７の内側に固定されていてもよい。
【符号の説明】
【００３２】
１  端子台、１ａ  筐体、２  基台、３  アース端子、４  器具用端子、５  導電接触部片、６  電線挿入口部、７  カバー部、８  電線、２１  回転受け部、２１ａ  柱状部材、２２  載置部、３１  アース湾曲部、３２  アース孔、４１  器具用湾曲部、４２  屈曲部、５１  接触基部、５２  電線接触部、５３  端子接触部、６１  挿入基部、６１ａ  挿入口、６２  回転軸部、６３  中空部、６３ａ  第１の中空部、６３ｂ  第２の中空部、７１  アース挿入口、７２  ネジ孔、７３  器具配線挿入口、７４  回動溝、８１  被覆部、８２  露出部。
【図１】
2016018749.tif 000003
【図２】
2016018749.tif 000004
【図３】
2016018749.tif 000005
【図４】
2016018749.tif 000006
【図５】
2016018749.tif 000007
【図６】
2016018749.tif 000008
【図７】
2016018749.tif 000009
【図８】
2016018749.tif 000010
【図９】
2016018749.tif 000011
【図１０】
2016018749.tif 000012
【図１１】
2016018749.tif 000013
【図１２】
2016018749.tif 000014
【図１３】
2016018749.tif 000015
【図１４】
2016018749.tif 000016
【図１５】
2016018749.tif 000017
【図１６】
2016018749.tif 000018
【図１７】
2016018749.tif 000019
【図１８】
2016018749.tif 000020
【図１９】
2016018749.tif 000021
【図２０】
2016018749.tif 000022
【図２１】
2016018749.tif 000023
【図２２】
2016018749.tif 000024